(57)【要約】【課題】複数の照明装置の配置位置と識別番号を容易に対応付けできる照明装置および照明システムを提供する。【解決手段】実施形態の照明装置１０は、光源１１と、光源１１に電力を供給する着脱可能な蓄電池１２と、自身の識別番号および蓄電池１２の装着に関する時間情報を記憶する記憶部１５と、憶部１５が記憶した情報を外部に出力する発信部１４とを具備する。【選択図】図３
2019057465.tif 000002
【特許請求の範囲】
【請求項１】
光源と；
前記光源に電力を供給する着脱可能な蓄電池と；
自身の識別番号および前記蓄電池の装着に関する時間情報を記憶する記憶部と；
前記記憶部が記憶した情報を外部に出力する発信部と；
を具備していることを特徴とする照明装置。
【請求項２】
前記記憶部は、前記蓄電池が装着された時刻を記憶することを特徴とする請求項１に記載の照明装置。
【請求項３】
前記記憶部は、前記蓄電池が装着された時刻から外部電源の電力が供給された時刻までの時間を記憶することを特徴とする請求項１に記載の照明装置。
【請求項４】
請求項１ないし請求項３のいずれか一項に記載の照明装置と；
前記照明装置と通信が可能であり、前記照明装置から出力された情報を取得し、前記情報から前記照明装置の配置位置を検出するとともに、前記照明装置の配置図を作成する機能を有した端末と；
を具備していることを特徴とする照明システム。
【発明の詳細な説明】
【技術分野】
【０００１】
本発明の実施形態は、照明装置および照明システムに関する。
【背景技術】
【０００２】
従来、非常時に非常用電源を用いて点灯する非常用の照明装置や避難経路等への誘導のために点灯する誘導用の照明装置が提供されている。そして、近年、これらの照明装置の点検作業を容易化するために、照明装置に、外部装置と無線通信が可能である無線通信機を搭載した構成も提案されている。
【０００３】
一般に、例えば建物内の天井面に設置された複数台の照明装置を制御する場合、各照明装置の固有のアドレス情報と、照明装置の配置位置の対応付けを行う必要がある。この対応付けは、従来施工時に作業者が１台ずつ行っており、複数台の照明装置毎に対応付けを行うのは、極めて煩雑であった。
【先行技術文献】
【特許文献】
【０００４】
【特許文献１】特開２００７−２１４１４６号公報
【発明の概要】
【発明が解決しようとする課題】
【０００５】
本発明が解決しようとする課題は、複数の照明装置の配置位置と識別番号を容易に対応付けできる照明装置および照明システムを提供することである。
【課題を解決するための手段】
【０００６】
実施形態の照明装置は、光源と、光源に電力を供給する着脱可能な蓄電池と、自身の識別番号および蓄電池の装着に関する時間情報記憶する記憶部と、憶部が記憶した情報を外部に出力する発信部とを具備する
【発明の効果】
【０００７】
本発明によれば、照明装置に蓄電池の装着に関する時間情報により照明装置の配置位置と識別番号を容易に対応付けできるため、照明装置を配置時の位置設定作業の効率向上が期待できる。
【図面の簡単な説明】
【０００８】
【図１】第１の実施形態の照明システムの構成を示す斜視図である。
【図２】同上照明装置を示す斜視図である。
【図３】同上照明装置の構成例を示すブロック図である。
【図４】同上端末に表示される照明装置の配置図を示す図である。
【図５】同上端末に表示される照明装置の配置図を示す図である。
【図６】同上端末が作成した識別番号と時刻を示すリストである。
【図７】同上端末に表示される照明装置の配置図を示す図である。
【図８】同上照明システムの動作を示すシーケンス図である。
【図９】第２の実施形態の端末が作成した識別番号と経過時間を示すリストである。
【図１０】同上照明システムの動作を示すシーケンス図である。
【発明を実施するための形態】
【０００９】
以下、第１の実施形態を図面を参照して説明する。
【００１０】
図１は本実施の形態の照明システムの構成を示す。図１に示すように、照明システム１００は、オフィス内の照明空間１の天井面に設置された複数の照明装置１０（１０a〜１０i)と、照明装置１０と通信可能に接続される端末２０とから構成される。具体的には、照明装置１０は停電時などの非常時に点灯する非常灯であり、それぞれ天井面に所定の間隔で設置されている。
【００１１】
尚、本実施形態では、照明装置１０は、９個配置した場合について説明するが、これに限定されるものではなく、複数個（ｎ個（ｎは整数））配置されればよい。
【００１２】
端末２０は、スマートフォンやタブレット端末等の携帯端末であり、照明装置１０と無線通信が可能に構成されている。端末２０は、表示画面を有し照明装置１０の配置位置を表した配置図を端末画面に表示する機能を有する。
【００１３】
また、各照明装置１０a〜１０i間、および各照明装置１０a〜１０iと端末２０との間の通信方式は、たとえば、ＢＬＥ（Bluetooth（登録商標）Low  Energy）などのメッシュネットワークが可能な無線通信方式である。
【００１４】
図２および図３は、照明装置１０の構成を示している。この照明装置１０は、光源１１と、蓄電池１２と、制御部１３および記憶部１５と、発信部１４とを備え、これらは筐体１６の内部に収納されている。また、筐体１６の背面側には、外部電源１８と接続される端子台１９が設けられている。
【００１５】
光源１１は、例えば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１６】
蓄電池１２は、筐体内部に着脱可能な電池であり、ニカド電池、ニッケル水素電池、あるいはリチウムイオン電池などの充電可能な二次電池である。
【００１７】
外部電源１８は、商用交流電源、あるいは直流電源など、任意の電源とすることが可能である。本実施形態では、外部電源を商用交流電源としている。
【００１８】
端子台１９は、筐体１６の背面側に設けられており、図示しない電線を介して外部電源１８と制御部１３とを電気的に接続するものである。
【００１９】
制御部１３は、外部電源１８および蓄電池１２と電気的に接続されており、外部電源１８および蓄電池１２からの電力を光源１１、発信部１４などに供給するものである。
【００２０】
制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００２１】
また、制御部１３は、時刻を計測する計時部（図示しない）を備えており、たとえば、隣接して制御部１３に設けられた内部電池であるボタン電池(図示しない)から電力を供給され駆動する。この場合、計時部は照明装置１０の製造時においてボタン電池からの電力で駆動し、計測する時刻を調整されてもよい。
【００２２】
また、計時部はボタン電池を使用せずに蓄電池１２が取り付けられた際に、蓄電池１２から電力を供給され駆動してもよい。この場合、蓄電池１２から電力が供給されたときに計時部が駆動を開始するため、蓄電池１２が取り付けられた時刻を００：００として計測を開始してもよい。
【００２３】
また、制御部１３は記憶部１５を備えており、記憶部１５が記憶した情報を発信部１４から端末２０へ送信するように制御することができる。
【００２４】
記憶部１５は揮発性メモリおよび不揮発性メモリなどから構成される。記憶部１５は、自身を示す識別番号を記憶する。識別番号は照明装置１０を特定する情報であり、たとえば、ＭＡＣアドレスなどの固有アドレスである。この識別番号は照明装置１０の製造時において記憶部１５に記憶されてもよい。
【００２５】
また、記憶部１５は時間情報を記憶する機能を有し、たとえば、蓄電池１２の装着に関する時間情報として蓄電池１２が制御部１３に取り付けられた時刻を記憶する（以下、蓄電池装着時刻と称する）。また、外部電源１８から制御部１３に電力が供給された時刻を記憶することができる。
【００２６】
発信部１４は、無線通信でデータを送受信するためのインターフェースである。通信部１４は、たとえば、Ｂｌｕｅｔｏｏｔｈ（登録商標）接続をサポートするインターフェースである。ここでは、ＢＬＥ通信をサポートするものとする。発信部１４は、制御部１３に接続されており記憶部１５が記憶している識別情報および時刻などの情報を無線信号として端末２０に送信する。
【００２７】
端末２０は、図４に示すように自機の記憶部（図示しない）に照明装置１０の配置位置２１を記憶しており、この配置位置２１を表した配置図２２を端末画面に表示する。配置図２２は、照明空間１の平面図と対応したレイアウト図である。照明装置１０が天井面に設置された直後は、配置図２２の照明装置１０の位置と識別情報が対応付けされておらず、配置図２２の配置位置２１は空白になっている。そのため、端末２０と照明装置１０を通信させることにより配置図２２へ識別情報を登録する必要がある。具体的には、図５に示すように作業者が予め配置図２２の配置位置２１に番号を付与する。ここでは、照明装置１０が９台設置されるため1〜９の番号を付与する。そして、照明装置１０a〜１０iから送信される識別情報と蓄電池装着時刻を収集し、図６に示すように各照明装置１０a〜１０iの識別番号を蓄電池装着時刻が早いものから順番にリスト化する。予め番号を付与した配置図２２の配置位置２１の番号順に沿って蓄電池装着時刻が早い照明装置１０の識別番号を登録することにより、図７に示すように照明装置１０a〜１０iの配置位置と識別番号を対応付けることができる。
【００２８】
次に、作業者が照明システム１００を用いて照明装置１０a〜１０iの識別番号と配置位置を対応付ける流れを図８を参照して説明する。ここで、照明装置１０a〜１０iが照明空間１の天井に設置された直後は蓄電池１２が装着されておらず、外部電源から電力が供給されていない状態とする。また、端末２０の配置図２２と照明装置１０a〜１０iは対応付けされていない状態とする。また、照明装置１０の計時部は内部電池により時刻を計測している状態とする。
【００２９】
まず、作業者は、端末２０の配置図２２の配置位置２１に１〜９の番号を付与する（図５）（Ｓ１）。この番号は照明装置１０a〜１０iに蓄電池１２を取り付ける順番である。次に、作業者は、配置位置２１の１番に該当する照明装置１０aに蓄電池１２を取り付ける。ここで、照明装置１０aは蓄電池１２が取り付けられた時刻を記憶部１５に記憶する。同様に配置位置２１の２〜９番に該当する照明装置１０b〜１０iに、配置位置２１の番号と同じ順番で蓄電池１２を取付けて、記憶部１５に時刻を記憶させる（Ｓ２）。全ての照明装置１０a〜１０iに蓄電池１２を取り付けたら外部電源１８の電源をオンにして照明装置１０a〜１０iに電力を供給する（Ｓ３）。照明装置１０a〜１０iは各記憶部１５に記憶した自身の識別情報と蓄電池装着時刻を発信部１４を介して端末２０に出力する（Ｓ４）。端末２０は、照明装置１０a〜１０iから出力された情報を収集し、蓄電池装着時刻が早いものから順番にリストを作成する（図６）（Ｓ５）。端末２０は、Ｓ５で作成したリストの中から蓄電池装着時刻が早い識別番号を順番に配置位置２１の１〜９番号に登録する（図７）（Ｓ６）。これにより、図７に示すように照明装置１０a〜１０iの識別番号と配置位置が対応付けされた配置図２２を得ることができる。
【００３０】
このように、端末２０は予め定めた配置位置の番号と、照明装置１０a〜１０iから取得した蓄電池装着時刻を比較することで容易に照明装置１０a〜１０iの識別番号と配置位置を対応付けすることができる。  
【００３１】
次に第２の実施形態に係る照明システムについて説明する。
【００３２】
第２の実施形態の照明システムの基本構成は第１の実施の形態と同様であるが照明装置１０の記憶部１５および端末２０の機能の一部が相違している。
【００３３】
第２の実施形態の照明装置１０の記憶部１５は、蓄電池１２が装着された時刻と外部電源１８から電力が供給された時刻を記憶し、蓄電池１２が装着さてから外部電源１８の電力が供給されるまでに経過した時間（以下、経過時間と称する）を記憶する機能を有する。また、発信部１４は識別番号と経過時間を外部に出力する。
【００３４】
端末２０は、照明装置１０a〜１０iから送信される識別情報と経過時間を収集し、図９に示すように各照明装置１０a〜１０iの識別情報と経過時間の情報を経過時間が長いものから順番にリスト化する。そして、予め番号を付与した配置位置２１の番号順に沿って経過時間が長い照明装置１０の識別番号を登録することにより、図７に示すように照明装置１０a〜１０iの配置位置と識別番号を対応付けることができる。
【００３５】
次に、第２の実施形態の照明システムの動作について説明する。
【００３６】
図１０は照明システム１００の動作を示すシーケンス図であり、作業者が照明システム１００を用いて照明装置１０a〜１０iの識別番号と配置位置を対応付ける流れを説明する。ここで、照明装置１０a〜１０iが照明空間１の天井に設置された直後は蓄電池が装着されておらず、外部電源から電力が供給されていない状態とする。また、端末２０の配置図２２と照明装置１０a〜１０iは対応付けされていない状態とする。また、照明装置１０の計時部は内部電池により時刻を計測している状態とする。
【００３７】
図１０のＳ１〜Ｓ３は図８のＳ１〜Ｓ３と同じ動作を行う。次に照明装置１０a〜１０iは外部電源から電力が供給された時刻を記憶し、蓄電池１２が装着されてから外部電源の電力が供給されるまでの経過時間を記憶する（Ｓ４）。そして、各記憶部１５に記憶した自身の識別情報と経過時間を発信部１４を介して端末２０に出力する（Ｓ５）。端末２０は、照明装置１０a〜１０iから出力された情報を収集し、経過時間が長いものから順番にリストを作成する（図９）（Ｓ６）。端末２０は、Ｓ６で作成したリストの中から経過時間が長い識別番号を順番に配置位置２１の１〜９番号に登録する（図７）（Ｓ７）。これにより、図７に示すように照明装置１０a〜１０iの識別番号と配置位置が対応付けされた配置図２２を得ることができる。
【００３８】
このように、照明装置１０は蓄電池１２が装着されてから外部電源の電力が供給されるまでの経過時間を記憶することにより、容易に照明装置１０a〜１０iの識別番号と配置位置を対応付けすることができる。また、本来照明装置１０a〜１０iが内蔵している時刻が１０：００を示さなければならない時刻にたとえば、照明装置１０aの時刻は１０：００を示しているが照明装置１０ｂの時刻は１０：０５、照明装置１０ｃの時刻は９：５８を示しており照明装置１０a〜１０iが内蔵している時刻にばらつきがある場合でも、経過時間の長さには時刻のばらつきは影響しないため、経過時間の長さを用いることで蓄電池１２を装着した順番を判断することができる。
【００３９】
また、これらの実施形態では、端末２０が照明装置１０a〜１０iの各々と通信し識別番号と蓄電池装着時刻の情報を受信する構成について説明したがこれに限るものではない。たとえば、特定の照明装置１０aが照明装置１０b〜１０iの識別番号と蓄電池装着時刻を収集し、端末２０は照明装置１０aと通信することで照明装置１０a〜１０iの情報を取得してもよい。つまり、各照明装置１０a〜１０iは各々がメッシュネットワークにより通信可能であるため１台の照明装置１０aが照明装置１０b〜１０iの情報を収集して端末２０に送信してもよい。
【００４０】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０  照明装置
１１  光源
１２  蓄電池
１３  制御部
１４  発信部
１５  記憶部
１８  外部電源
【図１】
2019057465.tif 000003
【図２】
2019057465.tif 000004
【図３】
2019057465.tif 000005
【図４】
2019057465.tif 000006
【図５】
2019057465.tif 000007
【図６】
2019057465.tif 000008
【図７】
2019057465.tif 000009
【図８】
2019057465.tif 000010
【図９】
2019057465.tif 000011
【図１０】
2019057465.tif 000012